【手続補正書】
【提出日】平成19年10月1日(2007.10.1)
【手続補正１】
【補正対象書類名】特許請求の範囲
【補正対象項目名】全文
【補正方法】変更
【補正の内容】
【特許請求の範囲】
【請求項１】
各場へ牌を供給するための４つの開口が設けられている天板を有する本体と、磁性体を埋設した牌を攪拌するため前記本体内に設けられた攪拌装置と、前記４つの開口に対応して設けられ前記攪拌装置から牌を取り上げる汲上機構と、
該汲上機構によって取り上げられた牌を整列する整列機構と前記４つの開口から整列牌として形成・供給機構とを備えてなる自動麻雀卓であって、
前記攪拌装置は回転するターンテーブルと外壁とが設けられ、攪拌された牌は前記ターンテーブルの回転により外壁に向かって移動させ、
前記牌を取り上げる汲上機構は円筒回転体が設けられ、該円筒回転体には磁石を埋没した吸着面を設け、該吸着面に磁気力により牌を吸着して下方から上方に吸い上げるように円筒回転体を回転させ、
前記複数の形成・供給機構には前記円筒回転体の頂上付近に誘導路を設け、該誘導路に円筒回転体により下方から上方に吸い上げられた牌が補足する
ことを特徴とする自動麻雀卓。
【請求項２】
前記形成・供給機構は、
前記誘導路に補足された牌の進行方向の延長上に牌を載置するための載置部を設け、前記誘導路に補足された牌を受け取り前記載置部に移送する移送手段と、前記載置部の一方の側に整列牌を形成・待機させるための待機台を含む待機機構と、載置部を挟み前記待機台の反対側から前記載置部に移送された牌を前記待機機構台上に押し出して前記待機台上に所定数の整列牌を形成するための押出機構とを含み、
前記円筒回転体と、前記移送手段と、前記押出機構が所定の位相関係で協働していることを特徴とする請求項１に記載の自動麻雀卓。
【請求項３】
前記待機機構には第１の台と第２の台が設けられ、
前記載置部には前記第１の台と第２の台に対応する載置台が設けられ、
前記整列機構から送り出される牌を、前記２つの載置台に選択的に送給するための選択送給手段とを備え、
前記第１の台上に配牌ブロックとして形成・待機させるとともに、前記第２の台上に二段積み牌ブロックとして形成・待機させるようにしたことを特徴とする請求項２に記載の自動麻雀卓。
【請求項４】
前記汲上機構と前記形成・供給機構との間に牌反転機構を備え、懸賞牌を形成できるようにしたことを特徴とする請求項１乃至３に記載の自動麻雀卓。
【手続補正２】
【補正対象書類名】明細書
【補正対象項目名】０００８
【補正方法】変更
【補正の内容】
【０００８】
上記課題を解決するための請求項１の発明は、各場へ牌を供給するための４つの開口が設けられている天板を有する本体２と、磁性体を埋設した牌を攪拌するため前記本体内に設けられた攪拌装置と、前記４つの開口に対応して設けられ前記攪拌装置から牌を取り上げる汲上機構と、 該汲上機構によって取り上げられた牌を整列する整列機構と前記４つの開口から整列牌として形成・供給機構とを備えてなる自動麻雀卓であって、前記攪拌装置は回転するターンテーブルと外壁とが設けられ、攪拌された牌は前記ターンテーブルの回転により外壁に向かって移動させ、前記牌を取り上げる汲上機構は円筒回転体が設けられ、該円筒回転体には磁石を埋没した吸着面を設け、該吸着面に磁気力により牌を吸着して下方から上方に吸い上げるように円筒回転体を回転させ、 前記複数の形成・供給機構には前記円筒回転体の頂上付近に誘導路を設け、該誘導路に円筒回転体により下方から上方に吸い上げられた牌が補足することを特徴とする自動麻雀卓である。
請求項２の発明は、前記形成・供給機構は、前記誘導路５０４に補足された牌の進行方向の延長上に牌を載置するための載置部７０１を設け、前記誘導路に補足された牌を受け取り前記載置部に移送する移送手段(６００,６０７)と、前記載置部の一方の側に整列牌を形成・待機させるための待機台８０２を含む待機機構８００と、載置部を挟み前記待機台の反対側から前記載置部に移送された牌を前記待機機構台上に押し出して前記待機台上に所定数の整列牌を形成するための押出機構７００とを含み、前記円筒回転体と、前記移送手段と、前記押出機構が所定の位相関係で協働していることを特徴とする請求項１に記載の自動麻雀卓である。
請求項３の発明は、前記待機機構には第１の台(配牌台８０１)と第２の台(待機台８０２)が設けられ、前記載置部には第１の台と第２の台に対応する載置台(下載置台７０２、上載置台７０３)が設けられ、前記整列機構から送り出される牌を、前記２つの載置台に選択的に送給するための選択送給手段とを備え、前記第１の台上に配牌ブロックとして形成・待機させると共に、前記第２の台上に二段積み牌ブロックとして形成・待機させるようにしたことを特徴とする請求項２に記載の自動麻雀卓である。
請求項４の発明は、前記汲上機構と前記形成・供給機構との間に牌反転機構６５０を備え、懸賞牌を形成できるようにしたことを特徴とする請求項１乃至３に記載の自動麻雀卓である。
【手続補正３】
【補正対象書類名】明細書
【補正対象項目名】０００９
【補正方法】変更
【補正の内容】
【０００９】
請求項１の発明によれば、牌を取り上げる汲上機構を、円筒回転体と吸着面を設けて、吸着面の牌を磁気力により吸着して下方から上方に吸い上げるように円筒回転体を縦方向に回転させたので、スペース的には従来の水平方向に回転する汲上方式とは異なり円筒回転体の幅は牌の縦幅と略等しい寸法でよく、かつ、水平方向の移動は円筒回転体の幅があれば良いから、これらにより、攪拌装置から牌を取り上げる汲上機構を小型にすることができ、結果として、自動麻雀卓の全体が小型、軽量、コンパクトとなり経済的に有利となる。
また、請求項１の効果に加えて、請求項２の発明によれば、載置部に移送された牌を反対側から待機機構台上に押し出すので、無理なく整列牌を形成することができ、請求項３の発明によれば、予め配牌と２段積牌とを形成しておくことができ、請求項４の発明によれば、配牌の形成と同時に懸賞牌を配置することができる。
【手続補正４】
【補正対象書類名】明細書
【補正対象項目名】００３８
【補正方法】変更
【補正の内容】
【００３８】
誘導路５０４の進行方向の延長上には、一端を回動自在に軸支した可動片６０１とソレノイドからなる牌反転機構６５０が設けられている。牌反転機構６５０は牌１０を反転させるのに使用されるものであり、ソレノイド６２０によって駆動される可動片６０１は通常図示の位置にある。可動片６０１には磁石６０２が埋設されており、字面を下にして落下してくる牌１０は、磁石６０２によって吸引されて可動片６０１上で停止するよう構成されている。牌反転機構６５０の動作については、後述する。
【手続補正５】
【補正対象書類名】明細書
【補正対象項目名】００４３
【補正方法】変更
【補正の内容】
【００４３】
上述の如く構成されている振り分け機構６００による牌の振り分け動作について説明する。図１３には振り分け板６０４が下載置台７０２に向けられているときの状態が示されており、汲み上げ途中の牌１０と誘導路５０４上の牌１０と棒状押し片６０７に後端を押されて移送(移送手段)されている牌１０とが示されている。ここでは、磁石４０１Ｃと棒状押し片６０７との位相関係がほぼ９０度の状態が示されている。
【手続補正６】
【補正対象書類名】明細書
【補正対象項目名】００５７
【補正方法】変更
【補正の内容】
【００５７】
図２２に示されているように、押出機構７００から押し出された牌１０を順次受け取って整列させるため、押出機構７００の牌１０の押し出し側で、載置部７０１を挟みその反対側には、待機機構８００が設けられている。